(57)【要約】【課題】布団に対する着脱作業を迅速に実施することができ、しかも、その製造も比較的容易な布団カバーを提供すること。【解決手段】布団カバー１は、外周形状が四角形で、この四角形の四辺１ａ，１ｂ，１ｃ，１ｄのうち、互いに平行な一対の二辺１ｂ，１ｄが延びる方向を前後方向、別の一対の二辺１ａ，１ｃが延びる方向を左右方向として、後端となる一辺１ｃに沿った位置には、左右方向に延びる第一開口部１ｅが形成されるとともに、さらに第一開口部１ｅから連続して前後方向に延びる第二開口部１ｆが形成され、これにより、Ｌ字状の開口を形成する構造とされている。第二開口部１ｆには、第二開口部１ｆを開閉するファスナー１４が設けられ、第一開口部１ｅは、第一開口部１ｅよりも後端側に底があって第一開口部１ｅよりも前端側に開口があるポケット１３によって覆われている。【選択図】図１
2013005928.tif 000002
【特許請求の範囲】
【請求項１】
外周形状が四角形の布団カバーであって、
表裏面に垂直な方向を上下方向、前記四角形の四辺のうち、互いに平行な一対の二辺が延びる方向を前後方向、別の一対の二辺が延びる方向を左右方向とした状態において、後端となる一辺に沿った位置には、左右方向に延びる第一開口部が形成されるとともに、さらに前記第一開口部から連続して前後方向に延びる第二開口部が形成されることで、前記第一開口部及び前記第二開口部がＬ字状又はＴ字状の開口を形成する構造とされており、
前記第二開口部には、当該第二開口部を開閉するファスナーが設けられており、
前記第一開口部は、前記第一開口部よりも後端側に底があって前記第一開口部よりも前端側に開口があるポケットによって覆われて、当該ポケットの内部で開口する状態になっている
ことを特徴とする布団カバー。
【請求項２】
前記ポケットは、開口をなす部分が弾性的に伸縮する構造になっている
ことを特徴とする請求項１に記載の布団カバー。
【請求項３】
布団に対して装着された際には、前記開口をなす部分が弾性的に伸長した状態になり、当該伸長に伴って生じる弾性力で、前記ポケットの開口が閉じられた状態になる
ことを特徴とする請求項２に記載の布団カバー。
【請求項４】
前記開口をなす部分は、一端から他端に至る範囲のうち、少なくとも中央にある一部分が伸縮しない構造になっている
ことを特徴とする請求項３に記載の布団カバー。
【請求項５】
前記開口をなす部分は、一端から他端に至る範囲のうち、両端に伸縮する構造が設けてある
ことを特徴とする請求項４に記載の布団カバー。
【発明の詳細な説明】
【技術分野】
【０００１】
本発明は、布団カバーに関する。
【背景技術】
【０００２】
従来、布団カバーとしては、表裏面に垂直な方向から見たときの外観が四角形で、その四辺のうち、三辺が縫製される一方、残りの一辺が開口部とされ、この開口部にファスナーが取り付けられて開閉可能に構成されたものが知られている。しかし、このような構造の布団カバーは、布団の出し入れに相応の手間がかかるのが難点である。
【０００３】
こうした問題に対し、四辺のうち、一つの角を挟んで隣り合う二辺が縫製される一方、残りの二辺が開口部とされ、これら二辺分の開口部にファスナーが取り付けられたものも知られている（例えば、特許文献１参照。）。このような構造の布団カバーであれば、Ｌ字状の開口部が形成されるので、一辺だけに開口部が設けられているものに比べ、布団の出し入れが容易になるとされている。
【先行技術文献】
【特許文献】
【０００４】
【特許文献１】特開２００３−３２５２９３号公報
【発明の概要】
【発明が解決しようとする課題】
【０００５】
しかしながら、上記特許文献１に開示された布団カバーの場合、二辺にある開口部に対し、各辺にファスナーを取り付けてある。そのため、少なくともファスナー数が倍増する分だけ部品代が増大し、また、縫製作業をする際にも、二つのファスナーそれぞれを縫製しなければならないので、相応に手間がかかるといった問題があった。
【０００６】
また、このようなＬ字型の開口部全体に単一のファスナーを取り付けることはできるが、その場合は、二辺に挟まれる角の部分で、ファスナーを屈曲ないし湾曲させて縫製する必要がある。そのため、このような縫製作業にもかなりの手間がかかり、やはり、コストがかかることになる。
【０００７】
本発明は、上記問題を解決するためになされたものであり、その目的は、布団に対する着脱作業を迅速に実施することができ、しかも、その製造も比較的容易な布団カバーを提供することにある。
【課題を解決するための手段】
【０００８】
以下、本発明において採用した構成について説明する。
請求項１に記載の布団カバーは、外周形状が四角形の布団カバーであって、表裏面に垂直な方向を上下方向、前記四角形の四辺のうち、互いに平行な一対の二辺が延びる方向を前後方向、別の一対の二辺が延びる方向を左右方向とした状態において、後端となる一辺に沿った位置には、左右方向に延びる第一開口部が形成されるとともに、さらに前記第一開口部から連続して前後方向に延びる第二開口部が形成されることで、前記第一開口部及び前記第二開口部がＬ字状又はＴ字状の開口を形成する構造とされており、前記第二開口部には、当該第二開口部を開閉するファスナーが設けられており、前記第一開口部は、前記第一開口部よりも後端側に底があって前記第一開口部よりも前端側に開口があるポケットによって覆われて、当該ポケットの内部で開口する状態になっていることを特徴とする。
【０００９】
このように構成された布団カバーによれば、第一開口部及び第二開口部がＬ字状又はＴ字状の開口を形成する構造とされているので、一辺だけに開口部が設けてある布団カバーに比べ、布団の出し入れがしやすく、布団に対する着脱作業を迅速に実施することができる。
【００１０】
しかも、このようなＬ字状又はＴ字状の開口を形成するに当たって、ファスナーは第二開口部に設けられているだけなので、Ｌ字状開口部の二辺双方にそれぞれ別々のファスナーを設けていた従来技術（上記特許文献１参照。）に比べれば、ファスナー数を半減でき、ファスナーの縫製にかかる手間も半減することができる。また、Ｌ字状開口部の二辺全体にわたって単一のファスナーを設けていた従来技術とも異なり、二辺に挟まれた角の部分でファスナーを屈曲ないし湾曲させて縫製するような面倒な手間がかからない。
【００１１】
さらに、本発明の場合、第一開口部そのものは、常時開放された状態となっているが、この第一開口部はポケットに覆われて、ポケットの内部で開口している。しかも、このポケットは、布団カバーの後端側に第一開口部がある状態において、第一開口部よりも後端側に底があって第一開口部よりも前端側に開口がある。
【００１２】
したがって、仮に布団の端部が第一開口部からはみ出す方向（後端方向）へ変位しそうになったとしても、そのような布団の端部はポケットの底に向かって変位する状態となり、布団の端部が布団カバーからはみ出してしまうことはない。つまり、第一開口部は常時開放された状態となっているものの、上述のようなポケットを設けたことにより、布団の端部が布団カバーからはみ出すのを防止することができる。
【００１３】
なお、本発明の布団カバーにおいて、前記ポケットは、開口をなす部分が弾性的に伸縮する構造になっていると好ましい。このような布団カバーであれば、布団カバーを布団に装着する際には、ポケットの開口を拡大させて作業を行うことができるので、作業性が向上する。しかも、布団カバーを布団に装着した後は、弾性的に伸長していた開口部分が収縮するので、単に開口を大きめにしてあるポケットとは異なり、ポケットの開口部分に余計なだぶつきが生じることもない。
【００１４】
また、本発明の布団カバーは、布団に対して装着された際には、前記開口をなす部分が弾性的に伸長した状態になり、当該伸長に伴って生じる弾性力で、前記ポケットの開口が閉じられた状態になるものであると好ましい。このような布団カバーであれば、ポケットの開口から異物が入り込むのを防ぐことができる。
【００１５】
さらに、本発明の布団カバーにおいて、前記開口をなす部分は、一端から他端に至る範囲のうち、少なくとも中央にある一部分が伸縮しない構造になっていると好ましい。このような布団カバーであれば、ポケットの開口をなす部分の中央付近には伸縮部分がないので、収縮に伴って嵩張ったり柔軟性が低下したりする部分は中央から外れた位置にできることになる。したがって、布団の中央付近で寝る利用者にとっては、多少伸縮部分が嵩張ったり伸縮部分の柔軟性が低かったりしても、伸縮部分の存在が気にならなくなる。
【００１６】
また、本発明の布団カバーにおいて、前記開口をなす部分は、一端から他端に至る範囲のうち、両端に伸縮する構造が設けてあると好ましい。このような布団カバーであれば、伸縮部分が両端にあるので、一方の伸縮部分の伸縮量を抑制したとしても、両方の伸縮部分で十分な伸縮量を確保することができ、単一の伸縮部しかないものに比べ、伸長時にはポケットの開口をより大きく拡大できるようになり、また、収縮時にはよりだぶつきを抑制できるようになる。
【図面の簡単な説明】
【００１７】
【図１】（ａ）は布団カバーの平面図、（ｂ）は布団カバーの底面図である。
【図２】布団カバーのＬ字状開口部を開いた状態を示す底面図である。
【図３】（ａ）は布団カバーの使用状態を示す底面図、（ｂ）は布団カバーの別の使用状態を示す平面図、（ｃ）はファスナー位置が異なる布団カバーの使用状態を示す平面図、（ｄ）は敷き布団用として構成された布団カバーの使用状態を示す平面図である。
【発明を実施するための形態】
【００１８】
次に、本発明の実施形態について一例を挙げて説明する。
図１（ａ）及び同図（ｂ）に示す布団カバー１は、水平面上に広げて平面視したときの外周形状が四角形に構成されている。以下、本実施形態では、布団カバー１の表裏面に垂直な方向を上下方向、前記四角形の四辺１ａ，１ｂ，１ｃ，１ｄのうち、互いに平行な一対の二辺１ｂ，１ｄが延びる方向を前後方向、別の一対の二辺１ａ，１ｃが延びる方向を左右方向として説明を続ける。
【００１９】
ただし、これらの方向は布団カバー各部の相対的な位置関係をわかりやすく説明するために便宜的に用いるものに過ぎず、布団カバーの使用時には布団カバーをどのような向きで使用してもよいのはもちろんである。
【００２０】
この布団カバー１は、表裏面を構成する第一の布地１１及び第二の布地１２を備えており、これらの布地１１，１２が、それぞれの前端１１ａ，１２ａと、それぞれの左端１１ｂ，１２ｂで、互いに逢着されている。
【００２１】
これらの布地１１，１２において、それぞれの後端１１ｃ，１２ｃと、それぞれの右端１１ｄ，１２ｄは、大部分の範囲が互いに逢着されておらず、これにより、布団カバー１の後端となる一辺１ｃに沿った位置には、左右方向に延びる第一開口部１ｅが形成されている。また、右端となる一辺１ｄに沿った位置には、第一開口部１ｅから連続して前後方向に延びる第二開口部１ｆが形成され、第一開口部１ｅ及び第二開口部１ｆの双方により、Ｌ字状の開口が形成されている。
【００２２】
第一開口部１ｅを覆う位置には、ポケット１３が設けられている。このポケット１３において、左端１３ｂは、第一の布地１１及び第二の布地１２の双方に逢着され、後端１３ｃ，及び右端１３ｄは、第一の布地１１のみに逢着されている。また、ポケット１３の前端１３ａは、第一の布地１１及び第二の布地１２のいずれにも逢着されておらず、この部分がポケット１３の開口１３ｅとされている。したがって、このようなポケット１３は、第一開口部１ｅよりも後端側に底があって第一開口部１ｅよりも前端側に開口があることになり、第一開口部１ｅは、ポケット１３の内部で開口する状態になっている。
【００２３】
第二開口部１ｆには、第二開口部１ｆを開閉するファスナー１４が設けられている。このファスナー１４は、いわゆるクローズドエンドファスナーと呼ばれるものであり、一端にある下止１４ａでは、務歯（エレメント）を挟んで両側にあるテープが分離せず、他端にある上止１４ｂでは、務歯のかみ合いが外されるとその両側にあるテープが分離する構造とされている。
【００２４】
そのため、ファスナー１４のスライダー１４ｃを上止１４ｂ側へスライドさせた状態においては、第二開口部１ｆは閉じられた状態となる。一方、ファスナー１４のスライダー１４ｃを下止１４ａ側へスライドさせた状態においては、第二開口部１ｆは開かれた状態となり、このような開かれた状態においては、図２に示すように、第二の布地１２の角をポケット１３内から引き出して、第一開口部１ｅ及び第二開口部１ｆによって形成されるＬ字状開口を大きく開くことができる。
【００２５】
ポケット１３は、開口１３ｅをなす部分１５ａ，１５ｂ，１５ｃのうち、中央部分１５ａの両側にある両側部分１５ｂ，１５ｃが弾性的に伸縮する構造になっている。より具体的には、本実施形態の場合、両側部分１５ｂ，１５ｃには、ゴム帯が縫い込まれており、各部分１５ｂ，１５ｃともに、それぞれが最も収縮した状態では２５ｃｍ、外力を加えると最長で４０ｃｍまで伸長させることができる構造となっている。
【００２６】
このような伸縮構造をポケット１３の開口部分に設けると、布団カバー１を布団に装着する際に、ポケット１３の開口を拡大させて作業を行うことができるので、作業性が向上する。また、布団カバー１を布団に装着した後は、弾性的に伸長していた開口部分が収縮するので、単に開口を大きめにしてあるポケットとは異なり、ポケット１３の開口部分に余計なだぶつきが生じることもない。
【００２７】
特に、本実施形態において、ポケット１３の開口部分は、中央部分１５ａが伸縮しない構造になっていて、その両側部分１５ｂ，１５ｃが伸縮構造になっている。したがって、収縮に伴って嵩張ったり柔軟性が低下したりしやすい両側部分１５ｂ，１５ｃは、中央から外れた位置に形成されるので、布団の中央付近で寝る利用者にとっては、両側部分１５ｂ，１５ｃが多少嵩張ったり両側部分１５ｂ，１５ｃの柔軟性が低かったりしても、そのような伸縮部分が中央部分１５ａに形成されるものよりは、伸縮部分の存在が気にならなくなる。
【００２８】
また、両側部分１５ｂ，１５ｃが収縮すれば、両側部分１５ｂ，１５ｃからは中央部分１５ａを両側へ引っ張る力Ｆ１，Ｆ２（図１（ｂ）参照。）が作用するので、中央部分１５ａそのものは伸縮しないものの、中央部分１５ａに弛みが生じることはなく、ポケット１３の開口部分はぴったりと閉じられることになる。
【００２９】
以上説明したような布団カバー１によれば、第一開口部１ｅ及び第二開口部１ｆがＬ字状の開口を形成する構造とされているので、一辺だけに開口部が設けてある従来の布団カバーに比べ、布団の出し入れがしやすく、布団に対する着脱作業を迅速に実施することができる。
【００３０】
しかも、このようなＬ字状の開口を形成するに当たって、ファスナー１４は第二開口部１ｆに設けられているだけなので、Ｌ字状開口部の二辺双方にそれぞれ別々のファスナーを設けていた従来技術に比べれば、ファスナー数を半減でき、ファスナーの縫製にかかる手間も半減することができる。また、Ｌ字状開口部の二辺全体にわたって単一のファスナーを設けていた従来技術とも異なり、二辺に挟まれた角の部分でファスナーを屈曲ないし湾曲させて縫製するような面倒な手間がかからない。
【００３１】
さらに、上記布団カバー１の場合、第一開口部１ｅそのものは、ファスナー等では閉じられていないので、常時開放された状態となっているが、この第一開口部１ｅはポケット１３に覆われており、ポケット１３の内部で開口する状態にある。しかも、このポケット１３は、布団カバー１の第一開口部１ｅを後端側とした状態において、第一開口部１ｅよりも後端側に底があって第一開口部１ｅよりも前端側に開口がある構造になっている。
【００３２】
したがって、仮に布団カバー１内に収容された布団（図示略）の端部が、第一開口部１ｅからはみ出す方向（後端方向）へ変位しそうになったとしても、そのような布団の端部はポケット１３の底に向かって変位するので、布団の端部が布団カバー１からはみ出してしまうのを防止することができる。
【００３３】
以上、本発明の実施形態について説明したが、本発明は上記の具体的な一実施形態に限定されず、この他にも種々の形態で実施することができる。
例えば、上記実施形態では、布団カバー１を実際に利用するときの向きについては特に説明しなかったが、布団カバー１を掛け布団に装着した際には、ポケット１３のある面又はポケット１３のない面、どちら側の面が掛け布団の上面側とされていてもよい。また、布団カバー１の前端１ａ又は後端１ｃ、どちら側の端部が衿側でどちら側の端部が足もと側とされていてもよい。
【００３４】
一例としては、例えば、ポケット１３のある面を掛け布団の下面側とし、且つポケット１３のある後端１ｃを足もと側とするような使い方ができる。このようにすれば、図３（ａ）に底面図で示す通り、敷き布団２１の足もと側端部２１ａをポケット１３の中に挿し込むことができる。こうすることで、掛け布団の足もと側をいくらか拘束することができ、掛け布団の足もと側が簡単には捲れ上がらなくなるので、利用者が寝たときに足もと側が暖まりやすく、気温の低い時期や地域では有益である。
【００３５】
あるいは、図３（ｂ）に平面図で示す通り、ポケット１３のある面を掛け布団の上面側としてもよい。この場合、利用者が寝たときに、ポケット１３は掛け布団の外側にあるので、利用者はポケット１３の存在が気にすることなく眠ることができる。
【００３６】
また、このようにポケット１３のある面を掛け布団の上面側とする場合、図３（ｂ）に示した通り、ポケット１３のある後端１ｃを足もと側としてもよいが、図３（ｃ）に平面図で示す布団カバー３１のように、ポケット３３のある後端３１ｃが衿側となるようにしてもよい。
【００３７】
さらに、図３（ｃ）に示す布団カバー３１の場合、ファスナー３４は、布団カバー３１の中央に設けてあるが、このようにファスナー３４を中央に設けるか、あるいは、先に例示した布団カバー１のようにファスナー１４を端部に設けるかは任意である。
【００３８】
中央にファスナー３４を設けた場合、ファスナー３４を開けるとＴ字状の開口が形成されることになるが、このようなＴ字状開口が形成されていても、Ｌ字状開口が形成される布団カバー１と同様に、布団の出し入れはしやすいものとなる。
【００３９】
また、布団カバー３１の場合、ファスナー３４を中央に設けてあるが、ファスナー３４は衿側においてポケット３３で覆われているので、利用者が寝たときに、衿部分でファスナー３４の存在が気になることもない。
【００４０】
また、上記実施形態では、掛け布団用の布団カバー１，３１について説明したが、図３（ｄ）に示すように、敷き布団用の布団カバー４１として構成されていてもよい。この場合、ポケット４３のある面を敷き布団の上面側とし、且つポケット１３のある後端４１ｃを足もと側とするような使い方ができる。こうすれば、利用者はポケット４３に足を挿し込んで眠ることも可能なので、掛け布団５１の足もと側から多少の冷気が流れ込んできても、利用者が寝たときに足もと側が暖まりやすく、気温の低い時期や地域では有益である。
【００４１】
また、上記実施形態では、ファスナー１４として、いわゆるクローズドエンドファスナーを採用してあり、一端にある下止１４ａでは、務歯の両側にあるテープが分離しない構造となっていたが、務歯の両側にあるテープが両端間全体で分離可能なファスナー（いわゆるオープンファスナー）を採用してもよい。オープンファスナーを採用すれば、開閉した際のスライダーの位置を、クローズドエンドファスナーとは逆にすることが可能である。
【符号の説明】
【００４２】
１，３１，４１・・・布団カバー、１ｅ・・・第一開口部、１ｆ・・・第二開口部、１１，１２・・・布地、１３，３３，４３・・・ポケット、１３ｅ・・・開口、１４，３４・・・ファスナー、１４ａ・・・下止、１４ｂ・・・上止、１４ｃ・・・スライダー、１５ａ・・・中央部分、１５ｂ，１５ｃ・・・両側部分（伸縮部分）。
【図１】
2013005928.tif 000003
【図２】
2013005928.tif 000004
【図３】
2013005928.tif 000005